(57)【特許請求の範囲】
【請求項１】
複数の伝送装置を組み合わせたネットワークの状態を解析するネットワーク情報解析方法において、
送信端と受信端とでデータ通信を行うための各論理回線に回線識別子を割付け、
前記回線識別子を含む回線管理コード情報を管理装置から前記伝送装置に送信し、
前記管理装置から前記回線管理コード情報を受信した伝送装置は、前記回線管理コード情報に含まれる前記回線識別子に対応する前記論理回線に、前記回線管理コード情報を送出し、
前記各伝送装置で前記回線管理コード情報を抽出し、少なくとも自身の装置識別子と前記回線識別子とを前記管理装置に送信し、
前記管理装置は、受信した各伝送装置からの前記装置識別子と前記回線識別子とを基にネットワーク状態を解析することを特徴とするネットワーク情報解析方法。
【請求項２】
請求項１記載のネットワーク情報解析方法において、
前記管理装置は、前記回線識別子毎に伝送経路を解析することを特徴とするネットワーク情報解析方法。
【請求項３】
請求項１記載のネットワーク情報解析方法において、
前記管理装置は、各伝送装置の通過信号量を集計することを特徴とするネットワーク情報解析方法。
【請求項４】
請求項１記載のネットワーク情報解析方法において、
前記管理装置は、前記回線識別子と前記装置識別子に基いて障害発生位置を特定することを特徴とするネットワーク情報解析方法。
【請求項５】
複数の伝送装置を含むネットワークの状態を解析するネットワーク情報解析方法に用いる伝送装置において、
前記ネットワークを管理する管理装置から送信された、送信端と受信端とでデータ通信を行うための各論理回線に付与した回線識別子を含む回線管理コード情報を受信する管理装置送受信手段と、
前記回線管理コード情報に含まれる前記回線識別子に対応する前記論理回線に、前記回線管理コード情報を送出する回線管理コード情報送出手段と、
伝送信号から前記回線管理コード情報を抽出する回線管理コード情報抽出手段と、
前記抽出された回線管理コード情報と、自身の装置識別子とを前記管理装置に送信する回線管理コード情報送信手段と
を有することを特徴とする伝送装置。
【請求項６】
複数の伝送装置を含むネットワークの状態を解析するネットワーク情報解析方法に用いる中継装置において、
送信端と受信端とでデータ通信を行うための各論理回線に付与した回線識別子を含む回線管理コード情報を伝送信号から抽出する回線管理コード情報抽出手段と、
前記抽出された回線管理コード情報と、自身の装置識別子とを前記管理装置に送信する回線管理コード情報送信手段と
を有することを特徴とする中継装置。
【請求項７】
複数の伝送装置を含むネットワークの状態を解析するネットワーク情報解析方法に用いる管理装置において、
送信端と受信端とでデータ通信を行うための各論理回線に付与した回線識別子を割付け、前記回線識別子を含む回線管理コード情報を登録したデータベースと、
前記回線管理コード情報を各伝送装置に送信する送信手段と、
各伝送装置及び中継装置から回線管理コード情報を受信する受信手段と、
受信した回線管理コード情報からネットワーク状態を解析する解析手段を有する管理装置。
【請求項８】
請求項７記載の管理装置において、
前記解析手段は、各チャネルの伝送経路を解析するルート解析手段を有する管理装置。
【請求項９】
請求項７記載の管理装置において、
前記解析手段は、各伝送装置の通過信号量を集計する容量集計手段を有する管理装置。
【請求項１０】
請求項７記載の管理装置において、
前記解析手段は、各チャネルの障害位置を特定する障害特定手段を有する管理装置。
【発明の詳細な説明】
【技術分野】
【０００１】
本発明は、ネットワーク情報解析方法及びその装置に関し、非ＩＰ型の伝送装置を組み合わせて構成したネットワーク状態を解析するネットワーク情報解析方法及びその装置に関する。
【背景技術】
【０００２】
プライベートネットワークなどは、複数メーカのＰＤＨ（Ｐｌｅｓｉｏｃｈｒｏｎｏｕｓ  Ｄｉｇｉｔａｌ  Ｈｉｅｒａｒｃｈｙ：非同期デジタル・ハイアラーキ），ＳＤＨ（Ｓｙｎｃｈｒｏｎｏｕｓ  Ｄｉｇｉｔａｌ  Ｈｉｅｒａｒｃｈｙ：同期デジタル・ハイアラーキ）等のＩＰ（Ｉｎｔｅｒｎｅｔ  Ｐｒｏｔｏｃｏｌ）を用いない非ＩＰ型の伝送装置を組み合わせてネットワークを構成している場合が多い。【０００３】
従来のＳＤＨ等の非ＩＰ型の伝送装置では、オーバーヘッドバイトを使って伝送路毎に番号を割付けた管理をすることは可能であるが、伝送路の中身であるチャネル単位の番号割付けができる仕様になっていない。【０００４】
そのため、伝送路中にどの信号がどれだけ通っているのか判断できない。また、ＩＰにおいては、パケット個々の通過装置をその都度確認することは可能だが、伝送量（通信量）が増加すると、通信ルート変更の迂回（ルーティング）が起きるため、定常的にどの信号が、どのルートを、どれだけ通っていると言えず、伝送路の通信ルートや空き容量の管理が難しい。【０００５】
なお、特許文献１には、ＷＤＭ光通信回線に収容されている各波長或いはパスを特定する識別子を、波長毎のフレームに付与することにより、障害が起きている波長或いはパスを特定して画面に表示することが記載されている。【０００６】
特許文献２には、複数の局が相互に接続されたネットワークにおいて、始点局から識別子を付与したフレームを送信し、これを終点局で確認することにより、通信路の正常性を確認することが記載されている。
【特許文献１】特開２００１−２１７９０１号公報
【特許文献２】特開平８−１３０５５９号公報
【発明の開示】
【発明が解決しようとする課題】
【０００７】
プライベートネットワークなどで複数メーカのＳＤＨ等の非ＩＰ型の伝送装置を組み合わせてネットワークを構成している場合は、ネットワークの詳細設計は、各伝送装置のメーカで担当する装置についてのみ行う。【０００８】
この場合、ユーザは各伝送装置メーカから入手する詳細設計情報（どの装置に、どんな信号を通しているか）から回線毎の通信ルート、伝送路の空き容量の管理と維持更新を行うのは容易ではない。【０００９】
ところが、管理と維持更新を怠った場合、端末増設計画をたてる際に、最初からネットワーク状況の調査（どの信号がどのルートを通り、どれだけ空き領域がある）を行い、調査結果から増設する端末の通信ルートを検討しなければならず、ユーザにとって大きな負担になるという問題があった。【００１０】
また、ネットワークに障害が発生した場合（ネットワークの回線構築が設計通りに行われていない場合）、各メーカは自社の設計範囲についての確認のみの対応しかできないため（ユーザが十分な通信ルートの維持管理、空き容量の維持管理ができていない場合）、障害検出に時間が掛かってしまうという問題があった。【００１１】
本発明は、上記の点に鑑みなされたものであり、ネットワークを通る信号の通信ルート探索、伝送装置の通過信号量判別、ネットワーク障害位置特定等のネットワーク解析を簡単かつ高速に行うことができるネットワーク情報解析方法及びその装置を提供することを総括的な目的とする。
【課題を解決するための手段】
【００１２】
この目的を達成するため、本発明のネットワーク情報解析方法は、複数の伝送装置を組み合わせたネットワークの状態を解析するネットワーク情報解析方法において、送信端と受信端とでデータ通信を行うための各論理回線に回線識別子を割付け、前記回線識別子を含む回線管理コード情報を管理装置から前記伝送装置に送信し、前記管理装置から前記回線管理コード情報を受信した伝送装置は、前記回線管理コード情報に含まれる前記回線識別子に対応する前記論理回線に、前記回線管理コード情報を送出し、前記各伝送装置で前記回線管理コード情報を抽出し、少なくとも自身の装置識別子と前記回線識別子とを前記管理装置に送信し、前記管理装置は、受信した各伝送装置からの前記装置識別子と前記回線識別子とを基にネットワーク状態を解析するよう構成する。
【発明の効果】
【００１３】
このようなネットワーク情報解析方法によれば、ネットワークを通る信号の通信ルート探索、伝送装置の通過信号量判別、ネットワーク障害位置特定等のネットワーク解析を簡単かつ高速に行うことができる。
【図面の簡単な説明】
【００１４】
【図１】本発明方法を適用したネットワークの一実施形態の構成図である。
【図２】本発明方法に適用される伝送装置の一実施形態のブロック図である。
【図３】本発明方法に適用される中継装置を含む全伝送装置に設けられる中継部の一実施形態のブロック図である。
【図４】管理装置の一実施形態の機能ブロック図である。
【図５】管理装置２０の一実施形態の機能ブロック図である。
【図６】回線管理コード情報のマルチフレームフォーマットである。
【図７】特定チャネルの通信ルートの表示例である。
【図８】通信ルートリストの表示例である。
【図９】容量集計リストの表示例である。
【図１０】障害特定処理のフローチャートである。
【図１１】障害時の通信ルートの表示例である。
【図１２】障害時の通信ルートリストの表示例である。
【符号の説明】
【００１５】
１１，１２，１４〜１６，１８  伝送装置
１３，１７  中継装置
１９  管理用送受信部
２０  管理装置
２１，２５，４１，４３  伝送路インタフェース
２２  分離部
２３  スイッチ部
２４  多重部
３０，３２  選択部
３１  端末
４２  中継またはスイッチ部
４４Ａ，４４Ｂ  中継部
４５  分離部
４６  回線管理コード抽出部
４７  管理用送信部
５０  管理コードＤＢ
５１  コード付加部
５２  管理コード送信部
５３  管理コード受信部
５４  管理コード比較部
５５  ルート解析部
５６  容量集計部
５７  障害特定部
５８  ＤＢ更新部
５９  画面出力部
【発明を実施するための最良の形態】
【００１６】
以下、図面に基づいて本発明の実施形態について説明する。【００１７】
図１は、本発明方法を適用したネットワークの一実施形態の構成図を示す。同図中、伝送装置１１は伝送装置１２，中継装置１３，伝送装置１４を経由して伝送装置１５に接続され、また、伝送装置１１は伝送装置１６，中継装置１７，伝送装置１８を経由して伝送装置１５に接続されてネットワークを構成している。伝送装置１１，１２，１４〜１６，１８はＳＤＨ等の非ＩＰ型の伝送装置である。【００１８】
各伝送装置及び中継装置に内蔵される管理用送受信部１９はネットワークの伝送路とは異なる通信回線で管理装置２０と接続されている。【００１９】
図１において、伝送装置１１に接続される送信端末と伝送装置１５に接続される受信端末とがデータ通信を行う場合の通信経路、例えば伝送装置１２、１３、１４を経由する、送信端と受信端とのデータ通信経路を論理回線と呼び、前記管理装置はネットワークを構成する各論理回線の回線識別子としての回線管理コードを管理している。【００２０】
図２は、本発明方法に適用される伝送装置の一実施形態のブロック図を示す。同図中、伝送路インタフェース２１は、ネットワークの伝送路から多重信号を受信して分離部２２に供給する。分離部２２は多重信号を分離して各信号をスイッチ部２３に供給する。スイッチ部２３でスイッチングされた各信号は多重部２４で多重化され、伝送路インタフェース２５を介してネットワークの伝送路に送出される。【００２１】
管理装置送受信手段としての管理用送受信部１９は管理装置２０から供給される信号を受信して、受信した回線管理コード情報を選択部３０に供給する。選択部３０には上記送信端としての端末３１の出力信号が供給されている。管理用送受信部１９は管理装置２０から受信した動作モードに応じ、通常モードであれば選択部３０に端末３１の出力信号を選択させ、保守・アラームモードであれば選択部３０に回線管理コード情報を選択させる。選択部３０で選択した信号はスイッチ部２３を通して多重部２４に供給され、他の信号と多重されて伝送路に送出される。【００２２】
すなわち、管理装置からの回線管理コード情報が、端末３１からのデータに替わって、対応する論理回線に送出される。【００２３】
また、スイッチ部２３は端末に出力する信号を選択部３２に供給する。選択部３２は管理用送受信部１９から指示される動作モードに応じ、通常モードであれば特定チャネルの信号を端末３１に供給し、保守・アラームモードであれば特定チャネルの信号を回線管理コード抽出部３３に供給する。【００２４】
ここで抽出された回線管理コード情報は管理用送受信部１９に供給される。管理用送受信部１９は回線管理コード情報と、自装置の装置識別子としての装置コードとを管理装置２０に送信する。なお、なお、自装置の装置コードは予め各伝送装置（中継装置）に登録してあるものとする。【００２５】
また、図２においては単一の端末３１だけを示しているが、複数の端末が伝送装置に接続される場合、管理用送受信部１９，選択部３０，３２及び回線管理コード抽出部３３は各端末に対して上記の処理を行う。【００２６】
図３は、本発明方法に適用される中継装置を含む全伝送装置に設けられる中継部の一実施形態のブロック図を示す。同図中、伝送路インタフェース４１は、ネットワークの伝送路から多重信号を受信して中継またはスイッチ部４２に供給し、中継またはスイッチ部４２にて増幅またはスイッチングされた多重信号は伝送路インタフェース４３を介してネットワークの伝送路に送出される。なお、中継またはスイッチ部４２は中継装置の場合に増幅を行い、伝送装置の場合にスイッチングを行う。【００２７】
中継装置を含む全伝送装置の伝送路入力側と伝送路出力側にそれぞれに中継部４４Ａ，４４Ｂが設けられる。中継部４４Ａ，４４Ｂそれぞれの分離部４５は多重信号を分離して回線管理コード抽出部４６に供給する。回線管理コード抽出部４６は各チャネル（回線）から回線管理コード情報を抽出し、抽出された回線管理コード情報は管理用送信部４７から管理装置２０に送信される。【００２８】
図４は、管理装置２０内の管理コードＤＢ（データベース）５０に格納されている回線管理コード情報の構成を示す。ここで、ＳＤＨ等のフレームフォーマットに拘わらず、所定帯域幅（例えば６４Ｋｂｐｓ）を１チャネルとしてネットワーク全体でユニークとなる回線管理コードを割付ける。管理コードＤＢには、回線管理コード毎に、送信装置（伝送装置）、受信装置（伝送装置）、送信端末、受信端末、通過装置（伝送装置及び中継装置）のそれぞれの識別子（コード）が付加されて予め登録されている。上記の登録情報は伝送装置メーカから入手する詳細設計情報に基づいて登録される。なお、回線管理コードに付した「ｈ」は１６進表示であることを示している。【００２９】
図５は、管理装置２０の一実施形態の機能ブロック図を示す。同図中、読出し及びコード付加部５１は、保守・アラームモード時に管理コードＤＢ５０から回線管理コード単位で回線管理コード情報を読出し、回線管理コードに応じた回線方向コード（上り／下り）と、送信装置に応じた装置メーカコード、送信端末コード、受信端末コード、送信装置コード、受信装置コードを付加して管理コード送信部５２に供給する。管理コード送信部５２は回線管理コード情報内の送信装置コードで特定される伝送装置に回線管理コード情報を送信する。【００３０】
管理コード受信部５３は、保守・アラームモード時にネットワークを構成する各伝送装置及び中継装置から送信された回線管理コード情報を受信して管理コード比較部５４に供給する。【００３１】
管理コード比較部５４は受信した回線管理コード情報の回線管理コードを管理コードＤＢ５０に登録されている回線管理コードと比較して、比較結果と共に受信した回線管理コード情報をルート解析部５５，容量集計部５６，障害特定部５７，ＤＢ更新部５８それぞれに供給する。【００３２】
図６は、回線管理コード情報のマルチフレームフォーマットを示す。同図中、回線管理コード情報は１フレーム８ビットで８フレームからなる。第１フレームには所定ビットパターンの同期用のフレームビットである。第２〜第４フレームには２４ビットの回線管理コードがセットされ、次の第５フレームには送信端末コードと受信端末コードがセットされ、第６フレームには回線方向コード（２ビット）と装置メーカコード（６ビット）がセットされる。第７フレームには送信装置コードと受信装置コードがセットされ、第８フレームには、上記第１〜７フレームに対するパリティビットがセットされる。【００３３】
なお、１フレームに送信できるのは８ビットのみであるため、回線管理コード情報を６４ビットのマルチフレーム構成とした上記例の場合、管理コード送信部５２では回線管理コード情報を８フレームに分割して順次送信する。また、回線管理コード受信部５３では、８フレーム分のデータを蓄積し、同期確立およびパリティチェック後に、管理コード比較部５４に供給する。【００３４】
ルート解析部５５は、ネットワークを構成する伝送装置及び中継装置から受信した回線管理コード情報を回線管理コード毎にとりまとめることにより、特定チャネルの伝送経路である通信ルート、または、各チャネルの通信ルートリストを画面出力部５９によって画面表示する。なお、特定チャネルは管理装置２０のキーボード等の入力装置から特定の回線管理コードを入力して指定する。【００３５】
図７は、特定チャネルの通信ルートの表示例を示す。同図中、表示画面７０には伝送装置１１，１２，１４〜１６，１８と中継装置１３，１７よりなるネットワークを表示すると共に、通信ルートを示す矢印７１が表示される。この矢印７１は特定の回線管理コードを持つ特定チャネルの通信ルート、即ち、端末Ｔ１，伝送装置１１，１２，中継装置１３，伝送装置１４，５１，端末Ｔ２の通信ルートを示している。【００３６】
図８は、通信ルートリストの表示例を示す。同図中、通信ルートリストには、回線管理コード毎に、送信装置、受信装置、通過装置、装置メーカコード（送信装置）、送信端末コード、受信端末コード、回線方向コードが記載される。【００３７】
容量集計部５６は、伝送装置及び中継装置から受信した回線管理コード情報を伝送装置毎にとりまとめる。そして、特定の伝送装置について、回線管理コード情報に含まれる送信端末と受信端末が同一のチャネルがあるときは１つにまとめ、その回線管理コードと伝送容量をまとめる。ところで、伝送容量は加算することでまとめる。なお、特定の伝送装置は管理装置２０のキーボード等の入力装置から特定の伝送装置を入力して指定する。これによって、容量集計部５６は容量集計リストを画面出力部５９によって画面表示する。【００３８】
図９は、容量集計リストの表示例を示す。同図中、この集計リストは伝送装置ａに関するものである。第１行は送信端末ａ１から受信端末ｃ１に対し方路１（上り）の通信で、伝送装置ａは送信を行っており、回線管理コードは「００００１ｈ」であり、伝送容量６４Ｋｂｐｓであることを示している。また、第２行は送信端末ｂ１から受信端末ｄ３に対し方路１（上り）の通信で、伝送装置ａは送信を行っており、回線管理コードは「００００２ｈ〜７ｈ」の６チャネルであり、６チャネル分の伝送容量３８４Ｋｂｐｓであることを示している。【００３９】
更に、各行の伝送容量の合計が使用容量７．０８Ｍｂｐｓとして表示され、管理装置２０が持つ伝送装置ａの最大伝送容量からの差分が空き容量１１４Ｍｂｐｓとして表示される。【００４０】
障害特定部５７は、伝送装置及び中継装置から受信した回線管理コード情報を基に障害発生位置を特定する。【００４１】
図１０は、管理装置２０が実行する障害特定処理のフローチャートを示す。この処理は保守・アラームモード時に実行される。同図中、ステップＳ１０で管理コード送信部５２は特定チャネルの回線管理コード情報を回線管理コード情報内の送信装置で特定される伝送装置に送信する。【００４２】
次に、ステップＳ１１で管理コード受信部５３は各伝送装置または中継装置から送信された回線管理コード情報を受信し、ステップＳ１３で管理コード比較部５４は受信した各伝送装置または中継装置からの回線管理コード情報の回線管理コードを管理コードＤＢ５０に登録されている回線管理コードと比較する。【００４３】
この比較結果が一致の場合にはステップＳ１４に進み、通信ルート表示における矢印７１を、回線管理コード情報の送信元の伝送装置または中継装置の位置まで青色で表示すると共に、通信ルートリスト上で当該伝送装置または中継装置を「ＯＫ」と表示する。【００４４】
一方、比較結果が不一致の場合にはステップＳ１５に進み、通信ルート表示における矢印７１を、回線管理コード情報の送信元の伝送装置または中継装置の位置まで赤色で表示すると共に、通信ルートリスト上で当該伝送装置または中継装置を「ＮＧ」と表示する。【００４５】
これによって、中継装置１３と伝送装置１４の間の伝送路で障害が発生した場合には図１１に示すような通信ルート表示、及び図１２に示すような通信ルートリスト表示が行われる。【００４６】
図１１は、障害時の通信ルートの表示例を示す。同図中、表示画面７０には伝送装置１１，１２，１４〜１６，１８と中継装置１３，１７よりなるネットワークを表示すると共に、通信ルートを示す矢印７１が表示される。この矢印７１は特定の回線管理コードを持つ特定チャネルの通信ルート、即ち、端末Ｔ１，伝送装置１１，１２，中継装置１３，伝送装置１４，５１，端末Ｔ２の通信ルートを示しており、青色部分７１ａは障害のない部分を示し、赤色部分７１ｂは障害のある部分を示しいる。【００４７】
図１２は、障害時の通信ルートリストの表示例を示す。同図中、通信ルートリストには、回線管理コード毎に、送信装置、受信装置、通過装置、装置メーカコード送信端末コード、受信端末コード、回線方向コードが記載され、更に、回線管理コード「００００１ｈ」，「００００２ｈ」については「ＮＧ」が表示され、回線管理コード「００００３ｈ」，「００００４ｈ」については「ＯＫ」が表示されている。【００４８】
ＤＢ更新部５８は、回線管理コードのないチャネルがあった場合、管理コードＤＢ５０上に上記チャネルの回線管理コードの割付けを行い、割付けた回線管理コードに対する送信装置（伝送装置）、受信装置（伝送装置）、送信端末、受信端末、通過装置（伝送装置及び中継装置）を特定して登録する。【００４９】
ＤＢ更新部５８は、図示しない上位装置からの指示で回線管理コード情報を登録する。送信装置（伝送装置）、受信装置（伝送装置）、送信端末、受信端末、データ量、通過装置（伝送装置及び中継装置）を登録することで、管理コードＤＢ５０では、上記チャネルの回線管理コードの自動割付けを行う。なお、通過装置指定をしない場合、各伝送装置の空き容量から判断し、ＤＢ更新部５８にて自動的に通過装置を判断／登録する。【００５０】
このように、ユーザは、ネットワークを構成する全装置に対して回線管理コードのモニタを実行することにより、即座にルート特定、装置の空き容量、装置を通る信号特定が可能となり、常に最新のネットワーク状況の確認が容易になる。【００５１】
また、障害調査においては、障害部分の回線管理コードをモニタすることで、回線の状態（伝送路あるいは装置の障害部分）を容易に特定することができるため、短時間での障害対応が可能となる。【００５２】
なお、管理用送受信部１９が請求項記載の管理装置送受信手段に相当し、選択部３０が回線管理コード情報送出手段に相当し、回線管理コード抽出部３３，４６が回線管理コード情報抽出手段に相当し、管理用送受信部１９，管理用送信部４７が回線管理コード情報送信手段に相当し、管理コード送信部５２が送信手段に相当し、管理コード受信部５３が受信手段に相当し、管理コード比較部５４，ルート解析部５５，容量集計部５６，障害特定部５７が解析手段に相当し、ルート解析部５５がルート解析手段に相当し、容量集計部５６が容量集計手段に相当し、障害特定部５７が障害特定手段に相当する。
【図１】
0004361114.tif 000002
【図２】
0004361114.tif 000003
【図３】
0004361114.tif 000004
【図４】
0004361114.tif 000005
【図５】
0004361114.tif 000006
【図６】
0004361114.tif 000007
【図７】
0004361114.tif 000008
【図８】
0004361114.tif 000009
【図９】
0004361114.tif 000010
【図１０】
0004361114.tif 000011
【図１１】
0004361114.tif 000012
【図１２】
0004361114.tif 000013